Podtech/llm-jp-corpus-v4-ja_patent huggingface dataset:
【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
貯蔵安定なペルオキシカルボン酸組成物であって、
０．０００１〜０．２質量％のペルオキシカルボン酸；
１〜５質量％の過酸化水素；
０．０１〜５質量％のカルボン酸；及び
７０〜９９質量％の水；
を含み、ここで、
前記組成物は添加された無機酸を含まず；
前記組成物のｐＨは１〜４であり；
過酸化水素：ペルオキシカルボン酸の比が３０：１〜６０：１であり；及び
過酸化水素：プロトン化カルボン酸の比が１：１〜２：１である、ペルオキシカルボン酸組成物。
【請求項２】
０．００５〜０．２質量％の短鎖ペルオキシカルボン酸；及び
０．５〜５質量％の短鎖カルボン酸；
を含む、請求項１に記載の組成物。
【請求項３】
０．０００１〜０．００４質量％の中鎖ペルオキシカルボン酸；及び
０．０１〜０．３質量％の中鎖カルボン酸；
を含む、請求項１に記載の組成物。
【請求項４】
緩衝剤、金属イオン封鎖剤、ヒドロトロープ、界面活性剤、腐食防止剤又はそれらの組み合わせをさらに含む、請求項１〜３のいずれか一項に記載の組成物。
【請求項５】
０．０１〜２質量％の緩衝剤を含み、当該緩衝剤がリン酸塩、クエン酸塩、ギ酸塩、リンゴ酸塩又は酢酸塩を含む、請求項４に記載の組成物。
【請求項６】
０．０１〜２質量％の緩衝剤を含み、当該緩衝剤が酢酸塩である、請求項４に記載の組成物。
【請求項７】
０．０１〜０．２５質量％の腐食防止剤を含む、請求項４に記載の組成物。
【請求項８】
前記腐食防止剤がトリアゾール腐食防止剤を含む、請求項７に記載の組成物。
【請求項９】
前記腐食防止剤がベンゾトリアゾールを含む、請求項８に記載の組成物。
【請求項１０】
０．０１〜１質量％のマスキング剤をさらに含み、当該マスキング剤が前記組成物を室温において少なくとも６か月間化学的に安定化させる、請求項１〜９のいずれか一項に記載の組成物。
【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
四フッ化ケイ素を含み、初期の塩化水素含有量を有しているガス流から、塩化水素を除去する方法であって、
前記方法は、前記ガス流を金属源に接触させる工程を含み、
前記金属は塩化水素と反応し、それによって前記ガス流から前記塩化水素を優先的に除去して、前記四フッ化ケイ素を含み且つ前記初期の塩化水素含有量の約９０％（ｖ／ｖ）以下に低減された塩化水素含有量を有する処理済みのガス流を提供する方法。
【請求項２】
前記ガス流は、少なくとも約１００ｐｐｍの水分を有することを特徴とする請求項１に記載の方法。
【請求項３】
前記ガス流は、約１００ｐｐｍ〜約２５００ｐｐｍの水分を有することを特徴とする請求項１に記載の方法。
【請求項４】
前記金属は、少なくとも約９５％の除去効率を示すことを特徴とする請求項１乃至３のいずれか１項に記載の方法。
【請求項５】
前記低減された塩化水素含有量は、前記初期の塩化水素含有量の約１０％（ｖ／ｖ）以下であることを特徴とする請求項１乃至４のいずれか１項に記載の方法。
【請求項６】
前記金属源は、金属酸化膜、金属水酸化物、又はそれらの組合せを含むことを特徴とする請求項１乃至５のいずれか１項に記載の方法。
【請求項７】
前記金属は、約１．６５未満の電気陰性度を示すことを特徴とする請求項１乃至６のいずれか１項に記載の方法。
【請求項８】
前記金属は、亜鉛、マグネシウム及びそれらの組合せから成る群から選ばれることを特徴とする請求項１乃至７のいずれか１項に記載の方法。
【請求項９】
前記金属源の前記表面積は、約８０ｆｔ２／ｆｔ３〜約６００ｆｔ２／ｆｔ３であることを特徴とする請求項１乃至８のいずれか１項に記載の方法。
【請求項１０】
前記ガス流は、約０．０５lb/hr×ft2〜約０．５lb/hr×ft2の速度で金属と接触することを特徴とする請求項１乃至９のいずれか１項に記載の方法。
【請求項１１】
前記金属源の少なくとも一部は、約５００μｍ〜約５０００μｍの寸法範囲内にある粒子状物質の形態であることを特徴とする請求項１乃至１０のいずれか１項に記載の方法。
【請求項１２】
前記金属源は、約３０％〜約８０％の気孔率を示すことを特徴とする請求項１乃至１１のいずれか１項に記載の方法。
【請求項１３】
前記ガス流を、前記金属源を含む層に接触させることを特徴とする請求項１乃至１２のいずれか１項に記載の方法。
【請求項１４】
前記層は、充てん層、流動床式又は移動床の形態であることを特徴とする請求項１３に記載の方法。
【請求項１５】
四フッ化ケイ素を含み、初期圧力と初期の塩化水素含有量とを有しているガス流から、塩化水素を除去する方法であって、
前記方法は、
前記初期圧力より高い圧力まで圧力を増加する１つ以上の圧力増加段階の間に、前記ガス流を圧縮する工程と、
前記ガス流を金属源に接触させる工程であって、それによって前記初期の塩化水素含有量の約９０％（ｖ／ｖ）以下に低減された塩化水素含有量を有する処理済みのガス流を提供する、接触させる工程と、
を含むことを特徴とする方法。
【請求項１６】
前記圧縮する工程は、前記ガス流を、少なくとも約１００ｐｓｉｇの第１の圧力増加段階にさらす過程を含むことを特徴とする請求項１５に記載の方法。
【請求項１７】
前記圧縮する工程は、前記ガス流を、約１００ｐｓｉｇ〜約７００ｐｓｉｇの第１の圧力増加段階にさらす過程を含むことを特徴とする請求項１５に記載の方法。
【請求項１８】
前記第１の圧力増加段階より前に、前記ガス流は、少なくとも約１００ｐｐｍの水分を有することを特徴とする請求項１６又は１７に記載の方法。
【請求項１９】
前記第１の圧力増加段階より前に、前記ガス流は、約１００ｐｐｍ〜約２５００ｐｐｍの水分を有することを特徴とする請求項１６又は１７に記載の方法。
【請求項２０】
前記圧縮する工程は、前記ガス流を、少なくとも約８００ｐｓｉｇの第２の圧力増加段階にさらす過程を含むことを特徴とする請求項１６乃至１９のいずれか１項に記載の方法。
【請求項２１】
前記圧縮する工程は、前記ガス流を、約１０００ｐｓｉｇ〜約１８００ｐｓｉｇの第２の圧力増加段階にさらす過程を含むことを特徴とする請求項１６乃至１９のいずれか１項に記載の方法。
【請求項２２】
前記第２の圧力増加段階より前に、前記ガス流は、少なくとも約１００ｐｐｍの水分を有することを特徴とする請求項２０又は２１に記載の方法。
【請求項２３】
前記第２の圧力増加段階より前に、前記ガス流は、約１００ｐｐｍ〜約２５００ｐｐｍの水分を有することを特徴とする請求項２０又は２１に記載の方法。
【請求項２４】
前記接触させる工程は、前記第１の圧力増加段階よりも前に起こることを特徴とする請求項１６乃至２３のいずれか１項に記載の方法。
【請求項２５】
前記接触させる工程は、前記第１の圧力増加段階と前記第２の圧力増加段階との間に起こることを特徴とする請求項２０乃至２４のいずれか１項に記載の方法。
【請求項２６】
前記接触させる工程中に前記金属は前記塩化水素と反応し、それによって前記四フッ化ケイ素を含み且つ低減された塩化水素含有量を有する処理済みのガス流を提供することを特徴とする請求項１５乃至２５のいずれか１項に記載の方法。
【請求項２７】
前記低減された塩化水素含有量は、前記初期の塩化水素含有量の約７０％（ｖ／ｖ）以下であることを特徴とする請求項２６に記載の方法。
【請求項２８】
前記低減された塩化水素含有量は、前記接触させる工程の開始から約２分以内に達成されることを特徴とする請求項１乃至１４、２６及び２７のいずれか１項に記載の方法。
【請求項２９】
前記接触させる工程の間に、前記四フッ化ケイ素の約１％（ｖ／ｖ）以下が前記ガス流から除去されることを特徴とする請求項１乃至２８のいずれか１項に記載の方法。
【請求項３０】
前記金属は亜鉛であり、
前記金属源は、亜鉛、酸化亜鉛、水酸化亜鉛及びそれらの組合せから成る群から選ばれることを特徴とする請求項１乃至２９のいずれか１項に記載の方法。
【請求項３１】
前記亜鉛は、前記塩化水素と反応して塩化亜鉛を生成することを特徴とする請求項３０に記載の方法。
【請求項３２】
前記金属はマグネシウムであり、
前記金属源はマグネシウム、酸化マグネシウム、水酸化マグネシウム、及びそれらの組合せから成る群から選ばれることを特徴とする請求項１乃至２９のいずれか１項に記載の方法。
【請求項３３】
前記マグネシウムは、前記塩化水素と反応して塩化マグネシウムを生成することを特徴とする請求項３２に記載の方法。
【請求項３４】
前記接触させる工程は、約２５℃〜約９０℃の温度で行われることを特徴とする請求項１乃至３３のいずれか１項に記載の方法。
【請求項３５】
前記接触させる工程は約５０ｐｓｉｇ〜約１５００ｐｓｉｇの圧力で行われることを特徴とする請求項１乃至３４のいずれか１項に記載の方法。
【手続補正書】
【提出日】平成23年8月26日(2011.8.26)
【手続補正１】
【補正対象書類名】特許請求の範囲
【補正対象項目名】全文
【補正方法】変更
【補正の内容】
【特許請求の範囲】
【請求項１】
ゲル及びクリームからなる群から選択される薬学的に許容可能な担体中に、約０．１７質量％〜約０．１９質量％の量のブリモニジンタルトラートを含む、医薬組成物。
【請求項２】
皮膚浸透剤を含む、請求項１に記載の組成物。
【請求項３】
皮膚浸透剤が、プロピレングリコールである、請求項２に記載の組成物。
【請求項４】
保湿剤を含む、請求項１〜３のいずれかに記載の組成物。
【請求項５】
保湿剤が、グリセリンである、請求項４に記載の組成物。
【請求項６】
防腐剤を含む、請求項１〜５のいずれかに記載の組成物。
【請求項７】
防腐剤が、メチルパラベン又はフェノキシエタノールである、請求項６に記載の組成物。
【請求項８】
ゲルが１０倍希釈された場合に、
担体の最小ｐＨが約５であり、最大ｐＨが約７．５であるために十分な量の塩基を、
前記ゲルが含む、請求項１〜７のいずれかに記載の組成物。
【請求項９】
塩基が、水酸化ナトリウム、又は、水酸化カリウムである、請求項８に記載の組成物。
【請求項１０】
ゲルが、ゲル化剤を含む、請求項１〜９のいずれかに記載の組成物。
【請求項１１】
ゲル化剤が、カルボマーである、請求項１０に記載の組成物。
【請求項１２】
保護剤、化粧品剤、又は、それらの組合せを含む、請求項１〜１１のいずれかに記載の組成物。
【請求項１３】
保護剤、及び／又は、化粧品剤は、二酸化チタンである、請求項１２に記載の組成物。
【請求項１４】
患者の皮膚上の紅斑の部位に局所的に投与することによって、酒さを患う患者における紅斑を治療するための薬剤の製造における、薬学的に許容可能なクリーム又はゲル中にブリモニジンタルトラートを含む組成物の使用。
【請求項１５】
酒さを患う患者における紅斑の治療のための薬剤の製造における、請求項１〜１３のいずれかに記載の組成物の使用。
【請求項１６】
酒さを患う患者における紅斑の治療において、ブリモニジンタルトラートを局所的に投与するための薬剤の製造における、請求項１〜１３のいずれかに記載の組成物の使用。
【手続補正２】
【補正対象書類名】明細書
【補正対象項目名】００２２
【補正方法】変更
【補正の内容】
【００２２】
＜実施例６＞
ブリモニジンタルトラートゲルの臨床研究
二重盲検法、プラセボ対照試験を、中度から重度の紅斑を患う、６センターの１１０人の患者に対して行った。患者は、実施例３における調合物と同様のゲルを投与された。該ゲルは、「低」用量のブリモニジンタルトラート（０．０２質量％）、「中」用量のブリモニジンタルトラート（０．０７質量％）、「高」用量のブリモニジンタルトラート（０．２０質量％）のいずれかを含むゲルか、又は、ブリモニジンタルトラートなし（「賦形剤」又はプラセボ群））のゲルとした。（これらの濃度は、請求の範囲におけるものより大きいか、小さい。）治療は、２８日間続け、その間、患者は毎日ゲルを塗布した。第１、１４、２８日目に、該研究センターの臨床スタッフの指揮の下で、患者は、ゲルを塗布し、８時間にわたって、規定の間隔で診断された。
診断により、臨床医の紅斑アセスメントスコア（Clinician's Erythema Assessment Score (CEA)）を求めた。各患者の紅斑は、０〜４のスケール（０が紅斑なしを示し、４が極度の紅斑を示す）で評価した。この研究で選ばれた各患者の最初のスコアは、３又は４であった。
平均ＣＥＡにおける統計的に有意な低下は、高い用量群（ｐ＜０．００１）における全ての来診を通して確認された。また、副作用プロフィールが確立された。結果を、図１〜３に示す。
次に、本発明の態様を示す。
１．  ゲル及びクリームからなる群から選択される薬学的に許容可能な担体中に、約０．１７質量％〜約０．１９質量％の量のブリモニジンタルトラートを含む、医薬組成物。
２．  ブリモニジンタルトラートが、約０．１７５質量％〜約０．１８５質量％の量で存在する、上記１に記載の組成物。
３．  ブリモニジンタルトラートが、約０．１８質量％の量で存在する、上記１に記載の組成物。
４．  担体が、ゲルである、上記１に記載の組成物。
５．  担体が、クリームである、上記１に記載の組成物。
６．  皮膚浸透剤を含む、上記４又は５に記載の組成物。
７．  皮膚浸透剤が、プロピレングリコールである、上記６に記載の組成物。
８．  保湿剤を含む、上記４又は５に記載の組成物。
９．  保湿剤が、グリセリンである、上記８に記載の組成物。
１０．  防腐剤を含む、上記４又は５に記載の組成物。
１１．  防腐剤が、メチルパラベンである、上記１０に記載の組成物。
１２．  防腐剤が、フェノキシエタノールである、上記１０に記載の組成物。
１３．  ゲルが１０倍希釈された場合に、
担体の最小ｐＨが約５であり、最大ｐＨが約７．５であるために十分な量の塩基を、
前記ゲルが含む、上記４に記載の組成物。
１４．  ゲルが１０倍希釈された場合に、
ｐＨの最小値が約６．２であり、及び、最大値が約６．８である、上記１３に記載の組成物。
１５．  塩基が、水酸化ナトリウム、又は、水酸化カリウムである、上記１３に記載の組成物。
１６．  ゲルが、ゲル化剤を含む、上記４に記載の組成物。
１７．  ゲル化剤が、カルボマーである、上記１６に記載の組成物。
１８．  保護剤、化粧品剤、又は、それらの組合せを含む、上記４又は５に記載の組成物。
１９．  保護剤、及び／又は、化粧品剤は、二酸化チタンである、上記１８に記載の組成物。
２０．  ゲルが、水、ゲル化剤、皮膚浸透剤、保湿剤、防腐剤、及び、化粧品剤を含む、上記４に記載の組成物。
２１．  水、カルボマー、プロピレングリコール、グリセリン、メチルパラベン、フェノキシエタノール、二酸化チタン、及び、ゲルが１０倍希釈された場合に、担体の最小ｐＨが約６．２であり、最大ｐＨが約６．８であるために十分な量の塩基を、
前記ゲルが含む、上記２０に記載の組成物。
２２．  塩基が、水酸化ナトリウム、又は、水酸化カリウムである、上記２１に記載の組成物。
２３．  クリームが、水、乳化剤、皮膚浸透剤、保湿剤、防腐剤、及び、化粧品剤を含む、上記５に記載の組成物。
２４．  クリームが、水、オレイルアルコール、プロピレングリコール、グリセリン、メチルパラベン、及び、二酸化チタンを含む、上記２３に記載の組成物。
２５．  酒さを患う患者における紅斑を治療するための方法であって、
薬学的に許容可能なクリーム又はゲル中に約０．１７質量％〜約０．１９質量％の量で含まれるブリモニジンタルトラートを、患者の皮膚上の紅斑の部位に局所的に投与することを含む、方法。
２６．  酒さを患う患者における紅斑の治療のための薬剤の製造における、上記１〜２４のいずれかに記載の組成物の使用。
２７．  酒さを患う患者における紅斑の治療において、ブリモニジンタルトラートを局所的に投与するための、上記１〜２４のいずれかに記載の組成物の使用。
【手続補正書】
【提出日】平成23年9月1日(2011.9.1)
【手続補正１】
【補正対象書類名】特許請求の範囲
【補正対象項目名】全文
【補正方法】変更
【補正の内容】
【特許請求の範囲】
【請求項１】
粒子がブプレノルフィン及びポリエチレングリコールを含み、ブプレノルフィン含量が約０．２％ないし約４％の範囲にあり、かつ、ブプレノルフィンがポリエチレングリコールによりカプセル化された、粒子の平均直径が２ｍｍ未満である粒子送達システム（ＰＤＳ）。
【請求項２】
ブプレノルフィン塩がブプレノルフィン塩酸塩である請求項１記載の組成物。
【請求項３】
ＰＥＧの平均分子量が約５００ダルトンないし約１０，０００ダルトンの範囲にある請求項２記載の組成物。
【請求項４】
ＰＥＧがＰＥＧ３３５０である請求項３記載の組成物。
【請求項５】
さらに界面活性剤を含む、請求項１記載の組成物。
【請求項６】
請求項１の組成物及びナロキソンを含む医薬組成物。
【請求項７】
経口投与製剤として製剤化される請求項６の医薬組成物。
【手続補正書】
【提出日】平成23年7月29日(2011.7.29)
【手続補正１】
【補正対象書類名】特許請求の範囲
【補正対象項目名】全文
【補正方法】変更
【補正の内容】
【特許請求の範囲】
【請求項１】
酸素の存在下でのモノエチレン系不飽和カルボン酸、そのエステル又は中和塩若しくは部分中和塩の水溶液のビニル重合を抑制する方法であって、該水溶液と、（ｉ）少なくとも５０ｐｐｍのＮ−オキシル化合物及び（ii）マンガンイオンを含む抑制剤とを混合する工程を含み、該Ｎ−オキシル化合物及びマンガンイオンは、該モノエチレン系不飽和カルボン酸、その無水物、エステル又は塩を基にして５０：１から１００：１未満のＮ−オキシル化合物対マンガンイオン重量比で存在する、前記方法。
【請求項２】
前記モノエチレン系不飽和カルボン酸、そのエステル又は中和塩若しくは部分中和塩が（メタ）アクリル酸又は（メタ）アクリル酸エステルである、請求項１に記載の方法。
【請求項３】
前記Ｎ−オキシル化合物が４−ヒドロキシＴＥＭＰＯである、請求項２に記載の方法。
【請求項４】
前記マンガンイオンが＋２の原子価を有する、請求項３に記載の方法。
【請求項５】
酸素の存在下でモノエチレン系不飽和カルボン酸、そのエステル又は中和塩若しくは部分中和塩の水溶液を重合に対して安定化させるための抑制剤であって、Ｎ−オキシル化合物及びマンガンイオンを５０：１〜１００：１未満の重量比で含む抑制剤。
【請求項６】
前記モノエチレン系不飽和カルボン酸、そのエステル又は中和塩若しくは部分中和塩が（メタ）アクリル酸又は（メタ）アクリル酸エステルである、請求項５に記載の抑制剤。
【請求項７】
前記Ｎ−オキシル化合物が４−ヒドロキシＴＥＭＰＯである、請求項６に記載の抑制剤。
【請求項８】
前記マンガンイオンが＋２の原子価を有する、請求項７に記載の抑制剤。
【請求項９】
酸素の存在下で重合に対して安定化されたモノエチレン系不飽和カルボン酸、そのエステル又は中和塩若しくは部分中和塩の水溶液であって、該水溶液は、（ａ）モノエチレン系不飽和カルボン酸、そのエステル又は中和塩若しくは部分中和塩と、（ｂ）水と、（ｃ）（ｉ）少なくとも５０ｐｐｍのＮ−オキシル化合物及び（ii）マンガンイオンを含む抑制剤とを含み、ここで、該Ｎ−オキシル化合物及びマンガンイオンは、該モノエチレン系不飽和カルボン酸、その無水物、エステル又は塩を基にして５０：１から１００：１未満のＮ−オキシル化合物対マンガンイオン重量比で存在する、前記水溶液。
【請求項１０】
前記Ｎ−オキシル化合物が４−ヒドロキシＴＥＭＰＯである、請求項９に記載の水溶液。
【手続補正書】
【提出日】平成23年8月18日(2011.8.18)
【手続補正１】
【補正対象書類名】特許請求の範囲
【補正対象項目名】全文
【補正方法】変更
【補正の内容】
【特許請求の範囲】
【請求項１】
下式の化合物：
【化１】
2010537994.tif 000001
（式中、
Ａは−Ｃ（Ｈ）＝または−Ｎ＝であり、
Ｒ１は、メトキシまたは１〜３個の独立に選択されるクロロまたはフルオロ置換基で任意に置換されたフェニル；１〜３個のメチルまたはエチル基で任意に置換されたピラゾール−４−イル；１個または２個のＣ１〜Ｃ３メチルまたはエチルで任意に置換されたイミダゾリル；フルオロまたはクロロで任意に置換されたピリジル；およびチエニルからなる群から選択され、
Ｒ２は水素またはメチルであり、
ｍは０、１、または２であり、
Ｒ３は、水素、フルオロ、クロロ、ヒドロキシ、メトキシ、ヒドロキシメチル、シアノメチル、メトキシメチル、アセチル、メチルカルボニルアミノ、メチルカルボニルアミノメチル、ピラゾール−１−イルメチル、およびトリアゾリルメチルからなる群から選択されるが、ただしＲ３が水素である場合、ｍは０ではなく、
各Ｒ４は、独立にフルオロ、クロロ、メチル、およびメトキシからなる群から選択されるか、あるいは、２つのＲ４基は、それらが結合するフェニルと一緒になってインドール−４−イル基を形成する）
またはその薬理学的に許容できる塩。
【請求項２】
１−メチル−１Ｈ−ピラゾール−４−スルホン酸  ｛２−［３’−（４−メトキシメチル−フェニル）−２，３，５，６−テトラヒドロ−［１，２’］ビピラジニル−４−イル］−エチル｝−メチル−アミドである、請求項１に記載の化合物またはその薬理学的に許容できる塩。
【請求項３】
１−メチル−１Ｈ−ピラゾール−４−スルホン酸  ｛２−［３’−（４−ヒドロキシメチル−フェニル）−２，３，５，６−テトラヒドロ−［１，２’］ビピラジニル−４−イル］−エチル｝−メチル−アミドである、請求項１に記載の化合物またはその薬理学的に許容できる塩。
【請求項４】
薬理学的に許容できる担体、希釈剤または賦形剤と合わせて、活性成分として請求項１から３のいずれか１項に記載の化合物を含む医薬組成物。
【請求項５】
薬理学的に許容できる担体、希釈剤または賦形剤と合わせて、請求項１から３のいずれか１項に記載の化合物またはその薬理学的に許容できる塩を含む、片頭痛の治療用に適合された医薬製剤。
【請求項６】
薬理学的に許容できる担体、希釈剤または賦形剤と合わせて、請求項１から３のいずれか１項に記載の化合物またはその薬理学的に許容できる塩を含む、片頭痛の予防的治療用に適合された医薬製剤。
【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
コンベヤにおいて横方向に隣接する運搬物品を単一化するための方法において：
横方向に隣接する物品を第１コンベヤセグメントの上流部分に供給するステップであって、前記第１コンベヤセグメントが、下流に向けて第１方向に支持物品を移動させるために回転する物品支持ローラを有する第１コンベヤ部と、前記第１コンベヤ部から離れて前記コンベヤの第１側部に向かう第２方向に、下流に向けて支持物品を移動させるために回転する物品支持ローラを有する第２コンベヤ部とに幅方向に分割されるものとするステップと；
略運搬方向における速度の下流方向成分を持つ第１の速度で、前記第１コンベヤ部の前記ローラを回転させるとともに、速度の下流方向成分を持つ第２の速度で、前記第２コンベヤ部の前記ローラを回転させるステップとを具え、
前記第１方向が前記第２方向から分岐していることを特徴とする方法。
【請求項２】
請求項１に記載の方法において、前記第１方向が、前記略運搬方向におけるものであり、前記第２の速度が、横方向の速度成分と、前記第１の速度の前記下流方向成分より小さい速度の下流方向成分とを有することを特徴とする方法。
【請求項３】
請求項１又は２に記載の方法において、前記第１コンベヤセグメントにおける前記ローラが、同じ速度で前記運搬方向に前進することを特徴とする方法。
【請求項４】
請求項１又は２に記載の方法において、前記第１コンベヤセグメントにおける前記ローラが、固定されていることを特徴とする方法。
【請求項５】
請求項１乃至４の何れか１項に記載の方法において、更に、前記第１コンベヤセグメントの下流側の１又はそれ以上のコンベヤセグメント内の、前記コンベヤの前記幅方向における予め選択した位置で運搬物品をセンタリングするステップを具えることを特徴とする方法。
【請求項６】
請求項５に記載の方法において、更に、センタリング中に、前記第１方向における前記物品を加速させるステップを具えることを特徴とする方法。
【請求項７】
請求項１乃至６の何れか１項にに記載の方法において、更に、運搬物品を前記コンベヤの前記第１側部に向けて移動させるために、前記第１コンベヤセグメントの下流側のコンベヤセグメントおける物品支持ローラをある方向に回転させるステップを具えることを特徴とする方法。
【手続補正書】
【提出日】平成23年8月16日(2011.8.16)
【手続補正１】
【補正対象書類名】特許請求の範囲
【補正対象項目名】全文
【補正方法】変更
【補正の内容】
【特許請求の範囲】
【請求項１】
コンベヤまたは伝動ベルトを形成するベルトであって、
実質的に非伸張性であるが弾性的に可撓であり、長さ方向に強固に互いに固定されてエンドレス・ベルトを形成する少なくとも１つの平らな細片を備え、
一定の間隔で配置された駆動スロットを備え、
前記駆動スロットの各々は、段差がある外周を有することを特徴とするベルト。
【請求項２】
前記コンベヤが、前記ベルト沿いに間隔をおいて前記ベルトに固定された複数のトラニオンを備え、
各トラニオンが、前記駆動スロットに取り付けられていることを特徴とする請求項１に記載のベルト。
【請求項３】
前記段差が配置されることによって、前記トラニオンが前期ベルトの前記長さに沿った方向で力を加えられると、前記トラニオンが付勢力を前記段差を通じて前記ベルトに伝えることを特徴とする請求項２に記載のベルト。
【請求項４】
前記トラニオンそれぞれが、前記ベルトに固定されたほぼ円筒形の本体を備え、
前記円筒形本体の軸が、前記ベルトの長さに対して直角をなすが、前記細片または各細片の面内にあることを特徴とする請求項２又は請求項３に記載のベルト。
【請求項５】
前記トラニオンそれぞれが、前記円筒形本体上に嵌められたローラを備え、前記ローラが前記本体に対して自由に回転することを特徴とする請求項４に記載のベルト。
【請求項６】
前記エンドレス・ベルトに係合する少なくとも１つの駆動または案内ホイールを備え、
前記ホイールが、前記ベルトに沿う前記トラニオンと同じ間隔でその外周周りに離間配置された窪みを有する少なくとも１つの略円形のスプロケットを備えることを特徴とする請求項２から請求項５までのいずれか１項に記載のベルト。
【請求項７】
前記ベルトが、突出した歯を用いて前記スロットに係合する形状の駆動ホイールを備えることを特徴とする請求項１から請求項６までのいずれか１項に記載のベルト。
【請求項８】
前記細片または各細片が、細長く、また長手方向でその面外へ曲げる際に弾性的に可撓であることを特徴とする請求項１から請求項７までのいずれか１項に記載のベルト。
【請求項９】
バケット又はスクレーパのような搬送器用の支持部を備えることを特徴とする請求項１から請求項８までのいずれか１項に記載のベルト。
【請求項１０】
前記搬送器用の前記支持部が、前記細片の面外へ弾性的に曲げることができる、細片の屈曲可能部分を備えることを特徴とする請求項９に記載のベルト。
【請求項１１】
前記搬送器がカムを備え、
前記コンベヤが、前記コンベヤが動くと前記カムが追従するカム面を備え、それによって前記ベルトまたは各ベルトに対する前記搬送器の向きを制御することを特徴とする請求項９又は請求項１０に記載のベルト。
【請求項１２】
請求項１から請求項１１までのいずれか１項に記載の２つのエンドレス・ベルトであって、前記細片または各細片の面内で互いに同一平面内にあるエンドレス・ベルトを備えることを特徴とするコンベヤ。
【請求項１３】
前記２つのベルトが一定の間隔で接合されていることを特徴とする請求項１２に記載のコンベヤ。
【請求項１４】
各トラニオンが両方のベルトに固定されることにより、前記トラニオンによって前記ベルトが互いに接合されていることを特徴とする請求項１３に記載のコンベヤ。
【請求項１５】
前記ベルトが、前記搬送器用の前記支持部、または前記搬送器自体によって互いに接合されていることを特徴とする請求項１３に記載のコンベヤ。
【手続補正書】
【提出日】平成23年8月26日(2011.8.26)
【手続補正１】
【補正対象書類名】特許請求の範囲
【補正対象項目名】全文
【補正方法】変更
【補正の内容】
【特許請求の範囲】
【請求項１】
ホ乳類ＦＡＢＰ４をコードする核酸の対応領域の連続核酸塩基と少なくとも８０％の相同性を有する合計１０−５０の連続核酸塩基配列を有効成分として含む１０−５０核酸塩基長である該オリゴマーを含有する、医薬組成物。
【請求項２】
ホ乳類ＦＡＢＰ４をコードする核酸の対応領域の連続核酸塩基配列が１つ以下のミスマッチを含む請求項１記載のオリゴマー。
【請求項３】
オリゴマーの核酸塩基配列が連続核酸塩基配列からなる請求項１ないし２のいずれか記載のオリゴマー。
【請求項４】
ホ乳類ＦＡＢＰ４をコードする核酸が、ヒトＦＡＢＰ４ヌクレオチド配列である、例えば配列番号１、又はその天然アレル変異体である請求項１ないし３のいずれか記載のオリゴマー。
【請求項５】
相補的ＦＡＢＰ４と二本鎖を形成する場合、標的ＲＮＡがリボヌクレアーゼＨを動員することができ、連続核酸塩基配列が、少なくとも８、少なくとも９、又は少なくとも１０である核酸塩基部分である連続サブ配列を含む請求項１ないし４のいずれか記載のオリゴマー。
【請求項６】
該オリゴマーが、１０−２２核酸塩基長である請求項１ないし５のいずれか記載のオリゴマー。
【請求項７】
少なくとも１の親和性増大ヌクレオチド類似体を含み、残りの核酸塩基がＤＮＡヌクレオチド及びＲＮＡヌクレオチドから選択され、好ましくはＤＮＡヌクレオチドであるものを含む請求項１ないし６のいずれか記載のオリゴマー。
【請求項８】
オリゴマーが、５’から３’方向に、式Ａ−Ｂ−Ｃ、及び任意に式Ａ−Ｂ−Ｃ−Ｄの核酸塩基配列を含み：ここで
Ａ      は、少なくとも１のヌクレオチド類似体、例えば、１、２、３、４、５、又は６のヌクレオチド類似体、好ましくは２−５のヌクレオチド類似体、好ましくは２、３、又は４のヌクレオチド類似体、最も好ましくは２、３、又は４の連続ヌクレオチド類似体からなり、又はこれを含み、及び；
Ｂ      は、リボヌクレアーゼＨを動員することのできる少なくとも５の連続核酸塩基（ＦＡＢＰ４ ｍＲＮＡ標的といった相補的ＲＮＡと二本鎖を形成する場合）、リボヌクレアーゼＨを動員することのできる、例えばＤＮＡ核酸塩基、例えば、５、６、７、８、９、１０、１１又は１２の連続核酸塩基からなり、又はこれを含み、６−１０、又は７−９、例えば８の基からなり、又はこれを含み、及び；
Ｃ      は、少なくとも１のヌクレオチド類似体、例えば２、３、４、５、又は６ヌクレオチド類似体、好ましくは２−５のヌクレオチド類似体、例えば２、３又は４のヌクレオチド類似体、最も好ましくは２、３又は４のヌクレオチド類似体からなり、又はこれを含み、及び；
Ｄ      が存在する場合には、１以上のＤＮＡヌクレオチド、例えば１−３又は１−２のＤＮＡヌクレオチドからなり、又はこれを含み、好ましくは、からなる請求項１ないし７のいずれか記載のオリゴマー。
【請求項９】
例えば、ＦＡＰＢ４ｍＲＮＡ標的といった相補的ＲＮＡと二本鎖を形成する場合、リボヌクレアーゼＨを動員することができ、領域Ｂが、７、８、９、又は１０の連続ＤＮＡヌクレオチド、又は等価な核酸塩基からなる、又はこれを含む請求項８記載のオリゴマー。
【請求項１０】
該オリゴマー又は連続核酸塩基部分が配列番号１２ないし配列番号１１６からなる群から選択される、又は該オリゴマー又は連続核酸塩基部分が配列番号１２ないし配列番号１１６のリストから選択される塩基配列と同等の塩基配列からなる、又はこれを含む請求項１ないし９のいずれかに記載のオリゴマー。
【請求項１１】
該オリゴマー又は連続核酸塩基部分が配列番号１１８、１２２、１１９、１２０、１２３、１１７及び１２１からなる群から選択される、又は該オリゴマー又は連続核酸塩基部分が配列番号１１８、１２２、１１９、１２０、１２３、１１７及び１２１から選択される塩基配列と同等の塩基配列からなる、又はこれを含む請求項１ないし９のいずれかに記載のオリゴマー。
【請求項１２】
ヌクレオチド類似体が、独立して、又は集合的に：ロックド核酸（ＬＮＡ）ユニット；２’−Ｏ−アルキル−ＲＮＡユニット、２’−ＯＭｅ−ＲＮＡユニット、２’−アミノ−ＤＮＡユニット、２’−フルオロ−ＤＮＡユニット、ＰＮＡユニット、ＨＮＡユニット、及びＩＮＡユニットからなる群から選択される請求項１ないし１１のいずれか記載のオリゴマー。
【請求項１３】
全てのヌクレオチド類似体が、ＬＮＡユニットである請求項１２記載のオリゴマー。
【請求項１４】
ＬＮＡが、β−Ｄ、及びα−Ｌ立体配置又はそれらの組み合わせにおける、オキシ−ＬＮＡ、チオ−ＬＮＡ、及びアミノ−ＬＮＡから独立して選択される請求項８ないし１３のいずれか記載のオリゴマー。
【請求項１５】
領域Ａ及びＣのヌクレオチド類似体、又は核酸塩基がβ−Ｄ−オキシ−ＬＮＡである請求項８ないし１４のいずれか記載のオリゴマー。
【請求項１６】
ヌクレオチド類似体間の結合が、ホスホジエステル結合である請求項１ないし１５のいずれか記載のオリゴマー。
【請求項１７】
以下の群：炎症性疾患又は障害、関節炎、喘息、アルツハイマー病、代謝疾患又は障害、メタボリックシンドローム、糖尿病及びアテローム性動脈硬化症から選択される疾患又は障害の治療のための医薬を製造するための請求項１ないし１６のいずれか記載のオリゴマーの使用。
【手続補正書】
【提出日】平成23年8月26日(2011.8.26)
【手続補正１】
【補正対象書類名】明細書
【補正対象項目名】００１４
【補正方法】変更
【補正の内容】
【００１４】
（詳細な説明）
本発明の目的は、階層的な多孔性材料であって、２００ミクロンの最大径を有する少なくとも２つの単位球状粒子からなり、前記球状粒子の少なくとも１つは、酸化ケイ素をベースとし結晶化壁を示す少なくとも１つのマトリクスを含み、前記材料は、水銀ポロシメトリによって測定されるマクロ細孔容積０．０５〜１ｍＬ／ｇ、窒素容積測定分析によって測定されるメソ細孔容積０．０１〜１ｍＬ／ｇおよび窒素容積測定分析によって測定されるミクロ細孔容積０．０３〜０．４ｍＬ／ｇを有する、ものである。
【手続補正２】
【補正対象書類名】明細書
【補正対象項目名】００４０
【補正方法】変更
【補正の内容】
【００４０】
本発明による階層的多孔性材料は、複数の分析技術、特に、広角Ｘ線回折（wide-angle X-ray diffraction：  ＷＡＸＤ）、窒素容積測定分析（ＢＥＴ）、水銀ポロシメトリ、透過型電子顕微鏡法（transmission electron microscopy：ＴＥＭ）、走査型電子顕微鏡法（scanning electron microscopy：ＳＥＭ）および蛍光Ｘ線（X-ray fluorescence：ＸＲＦ）によって特徴付けられる。
【手続補正書】
【提出日】平成23年8月16日(2011.8.16)
【手続補正１】
【補正対象書類名】特許請求の範囲
【補正対象項目名】全文
【補正方法】変更
【補正の内容】
【特許請求の範囲】
【請求項１】
２．８％以下の含水量で鋳造したときに、華氏２３０度に曝露した後に、未焼結状態において、１５体積％以下の空孔率を有する鋳造成形物を成形するキャスタブル組成物。
【請求項２】
２．８％以下の含水量で鋳造したときに、華氏２３０度に曝露した後に、未焼結状態において、１０００ポンド／平方インチ以上の破壊係数を有する鋳造成形物を成形するキャスタブル組成物。
【請求項３】
２．８％以下の含水量で鋳造したときに、華氏２３０度に曝露した後に、未焼結状態において、３０００ポンド／平方インチ以上の冷間圧縮強さを有する鋳造成形物を成形するキャスタブル組成物。
【請求項４】
２．８％以下の含水量で鋳造したときに、華氏１５００度に曝露した後に１５体積％以下の空孔率を有する鋳造成形物を成形する、請求項１に記載のキャスタブル組成物。
【請求項５】
２．８％以下の含水量で鋳造したときに、華氏１５００度に曝露した後に１０００ポンド／平方インチ以上の破壊係数値を有する鋳造成形物を成形する、請求項２に記載のキャスタブル組成物。
【請求項６】
２．８％以下の含水量で鋳造したときに、華氏１５００度に曝露した後に３０００ポンド／平方インチ以上の冷間圧縮強さを有する鋳造成形物を成形する、請求項３に記載のキャスタブル組成物。
【請求項７】
乾燥組成物の少なくとも５０質量％を含む最も粗い耐火性粗粒画分を含む、請求項１に記載のキャスタブル組成物であって、少なくとも２の平方根の、最大粒径に対する最小粒径の比率を有するギャップによって、該最も粗い耐火性粗粒画分が、より小さい粒子画分から分離された、キャスタブル組成物。
【請求項８】
該組成物が少なくとも４つの粒子画分を含み、そのうちの３つの隣接した粒子画分が、少なくとも２の平方根の粒径比を有するギャップによって分離され、該３つの隣接した粒子画分が、各々のすぐ接している大きい側の粒径画分に対して、粒径が減少する順番で、値がより小さい、より大きい、及びより小さい残存質量パーセントを有する、請求項１に記載のキャスタブル組成物。
【請求項９】
該組成物が少なくとも４つの粒子画分を含み、そのうちの３つの隣接した粒子画分は、少なくとも２の平方根の粒径比を有するギャップによって分離され、該３つの隣接した粒子画分が、各々のすぐ接している大きい側の粒径画分に対して、粒径が減少する順番で、値がより大きい、より小さい、そしてより大きい残存質量パーセントを有する、請求項１に記載のキャスタブル組成物。
【請求項１０】
該組成物が、少なくとも２の平方根の粒径比を有するギャップによって分離された少なくとも２つの粒子画分を含み、該少なくとも２つの粒子画分は、全てが１００マイクロメートル未満の直径を有する粒子からなる、請求項１に記載のキャスタブル組成物。
【請求項１１】
該組成物が、少なくとも２の平方根の粒径比を有するギャップによって分離された少なくとも４つの粒子画分を含み、残存質量パーセントが、該少なくとも４つの粒子画分のそれぞれにおいて少なくとも４０％である、請求項１に記載のキャスタブル組成物。
【請求項１２】
該組成物が、少なくとも２の平方根の粒径比を有するギャップによって分離された少なくとも５つの粒子画分を含む、請求項１に記載のキャスタブル組成物。
【請求項１３】
該ギャップの少なくとも２つがそれぞれ、乾燥組成物の質量の１０質量％未満を含む、請求項８に記載のキャスタブル組成物。
【請求項１４】
該鋳造成形物が、理論密度の少なくとも８０．７％である密度を有する、請求項１に記載のキャスタブル組成物。
【請求項１５】
少なくとも９５質量％のアルミナを含む、請求項１に記載のキャスタブル組成物。
【請求項１６】
該鋳造成形物が、華氏２３０度に曝露した後に、少なくとも１９０ポンド／立方フィートのかさ密度を有する、請求項１５に記載のキャスタブル組成物。
【請求項１７】
該かさ密度が華氏１５００度に曝露した後に測定される、請求項１６に記載のキャスタブル組成物。
【請求項１８】
請求項１に記載のキャスタブル組成物から成形された鋳造成形物。
【請求項１９】
鋳造成形物を成形する方法であって、
（ａ）該成形物の大きさ及び形状に対応したキャビティを有するモールドを準備すること、
（ｂ）該キャビティに請求項１に記載のキャスタブル組成物を充填すること、
（ｃ）該キャスタブル組成物を硬化して該鋳造成形物を成形すること、並びに
（ｄ）該鋳造成形物から該モールドを分離すること、
を含む、方法。
【請求項２０】
鋳造成形物を成形する方法であって、
（ａ）該成形物の大きさ及び形状に対応したキャビティを有するモールドを準備すること、
（ｂ）該キャビティに請求項１に記載のキャスタブル組成物を充填すること、
（ｃ）本発明の該キャスタブル組成物を締固め、振動、圧縮、及びこれらの工程の組み合わせから選択される工程に送ること、
（ｄ）該キャスタブル組成物を硬化して該鋳造成形物を成形すること、並びに
（ｅ）該鋳造成形物から該モールドを分離すること、
を含む、方法。
【手続補正書】
【提出日】平成23年8月23日(2011.8.23)
【手続補正１】
【補正対象書類名】特許請求の範囲
【補正対象項目名】全文
【補正方法】変更
【補正の内容】
【特許請求の範囲】
【請求項１】
以下の工程を含む、ウイルス抗原を含む調製物を製造するための方法：
a) 液体中において細胞に感染性ウイルスを接種する工程、
b) 該細胞中において該ウイルスを増殖させる工程、
c) 該増殖したウイルスを回収する工程、
d) 該回収したウイルスを完全に不活化する工程、および
e) 該不活化したウイルスを洗浄剤で処理し、それによりウイルス抗原を含む調製物を得る工程。
【請求項２】
該増殖したウイルスを回収する工程が、感染後に該細胞および/または該細胞の細胞片からウイルスを分離することを含む、請求項１の方法。
【請求項３】
該不活化を、ホルムアルデヒドの添加によって行う、請求項１または２の方法。
【請求項４】
該不活化を、UV 照射によって行う、請求項１〜３のいずれか１項の方法。
【請求項５】
該増殖したウイルスが、該液体中に放出される、請求項１〜４のいずれか１項の方法。
【請求項６】
回収の後、回収した液体をヌクレアーゼで処理する、請求項１〜５のいずれか１項の方法。
【請求項７】
該ヌクレアーゼが、ベンゾナーゼである、請求項６の方法。
【請求項８】
該ウイルスの増殖の間、該細胞が細胞培養物の形態である、請求項１〜７のいずれか１項の方法。
【請求項９】
該細胞が、哺乳類または鳥類の細胞である、請求項１〜８のいずれか１項の方法。
【請求項１０】
該細胞が、上皮細胞である、請求項１〜９のいずれか１項の方法。
【請求項１１】
該細胞が、Vero 細胞である、請求項８の方法。
【請求項１２】
該ウイルスが、エンベロープを有するウイルスである、請求項１〜１１のいずれか１項の方法。
【請求項１３】
該ウイルスが、オルソミクソウイルスである、請求項１２の方法。
【請求項１４】
該ウイルスが、インフルエンザウイルスである、請求項１３の方法。
【請求項１５】
該不活化の間における非ウイルス性タンパク質の濃度が、350 μg/ml 未満である、請求項１〜１４のいずれか１項の方法。
【請求項１６】
該製造が、工業規模の量のものである、請求項１〜１５のいずれか１項の方法。
【請求項１７】
該不活化を、少なくとも 1l のウイルスを含有する液体について行う、請求項１６の方法。
【請求項１８】
以下の工程を含む、ウイルス抗原を含む調製物を製造するための方法：
a) 感染性ウイルスを含む液体を得る工程、
b) 該回収したウイルスを不活化する工程、
c) 該不活化したウイルスを洗浄剤で処理する工程、および
d) 該不活化したウイルスを精製し、それによりウイルス抗原を含む調製物を得る工程。
【請求項１９】
該液体が、細胞培養物から得られる、請求項１８の方法。
【請求項２０】
該ウイルス抗原を安定化する工程をさらに含む、請求項１９の方法。
【請求項２１】
該ウイルス抗原を、有効量の Tween 80 の添加によって安定化する、請求項２０の方法。
【請求項２２】
Tween 80 が、0.125 % の量である、請求項２１の方法。
【請求項２３】
対象においてウイルス感染に対する耐性を増大させるための、請求項１−２２のいずれかの方法によって得られるウイルス抗原を含む調製物を含む医薬組成物。
【手続補正書】
【提出日】平成23年8月25日(2011.8.25)
【手続補正１】
【補正対象書類名】特許請求の範囲
【補正対象項目名】全文
【補正方法】変更
【補正の内容】
【特許請求の範囲】
【請求項１】
エーロゾル化された液体香料物質を発生させるための空気清浄器であって、
入口と出口とを有する毛細管通路と、
毛細管作用のみを通じて前記毛細管通路の前記入口に液体香料物質を供給するように作動可能な液体供給部と、
前記液体香料物質が前記毛細管通路の前記出口から押し出されてエーロゾル化された液体香料物質を形成するように、該毛細管通路に沿って配置された加熱器にわたって電圧を印加し、該毛細管通路における液体香料物質を少なくとも部分的に揮発させるのに十分な温度まで該毛細管通路における液体香料物質を加熱するようになった電源と、
を含むことを特徴とする空気清浄器。
【請求項２】
前記液体供給部は、前記毛細管通路の前記入口に前記液体香料物質を送出する芯を含むことを特徴とする請求項１に記載の空気清浄器。
【請求項３】
前記毛細管通路は、該毛細管通路の前記出口において減少した直径を有することを特徴とする請求項１または請求項２のいずれかの請求項に記載の空気清浄器。
【請求項４】
前記電源は、前記加熱器にエネルギパルスを供給する超コンデンサを含むことを特徴とする請求項１ないし３のいずれか１つの請求項に記載の空気清浄器。
【請求項５】
前記液体香料物質が、前記毛細管通路の毛細管充填後に少なくとも部分的に揮発するように、前記電源から前記加熱器まで時限式加熱サイクルで電力を送出するように作動可能な制御回路を更に含むことを特徴とする請求項１ないし４のいずれか１つの請求項に記載の空気清浄器。
【請求項６】
前記液体供給部と前記毛細管通路の加熱区画との間の流体通路が、該毛細管通路の断面積よりも断面積の小さい狭窄部を収容することを特徴とする請求項１ないし５のいずれか１つの請求項に記載の空気清浄器。
【請求項７】
エーロゾル化された香料物質をパルス式に発生させる方法であって、
入口と出口とを有する毛細管通路内に毛細管作用のみを通じて液体香料物質を吸引する段階と、
液体香料物質が、前記毛細管通路の前記出口から押し出されてエーロゾル化された香料物質を形成するように、該毛細管通路に沿って配置された加熱器にわたって電圧を周期的に印加し、該香料物質を少なくとも部分的に揮発させるのに十分な温度まで該毛細管通路における該液体香料物質を加熱する段階と、
を含むことを特徴とする方法。
【請求項８】
エーロゾル化された香料物質を繰返しパルス式に発生させる方法であって、
ａ）請求項７に記載の方法に従ってエーロゾル化された香料物質を発生させる段階、
ｂ）毛細管通路を冷却する段階、及び
ｃ）段階ａ）及びｂ）を繰り返す段階、
を含むことを特徴とする方法。
【請求項９】
液体のエーロゾルを生成する方法であって、
毛細管作用を通じて液体を液体供給部から毛細管通路の区画内に吸引することにより、液体を該区画に沿って配置する段階と、
電力サイクル中に毛細管作用を通じた前記液体の吸引が中断され、かつ各電力サイクルの終了時に前記区画に沿って配置された該液体が加熱された区画から排出されるように、該区画に沿って配置された実質的に全ての該液体を揮発させるのに各電力サイクルの熱が十分であるような熱を該区画の少なくとも一部分に沿って該電力サイクルに従って繰返し印加する段階と、
毛細管作用を通じた前記吸引液体が電力サイクルと電力サイクルの間に再開されて前記区画を補充するように十分に時間的に該電力サイクルを離間させる段階と、
を含むことを特徴とする方法。
【請求項１０】
前記電力サイクルは、前記区画の補充の前に該区画の冷却を可能にするために時間的に離間されることを特徴とする請求項９に記載の方法。
【請求項１１】
前記印加された熱は、前記区画に沿って配置された前記液体の材料の質量の潜熱に該液体の該質量の比熱を加えた合計よりも大きいことを特徴とする請求項９または請求項１０のいずれかに記載の方法。
【請求項１２】
エーロゾル化された液体材料を発生させるエーロゾル発生器であって、
入口と、出口と、該入口及び出口の間の通路に沿って加熱されるように作動可能な区画とを有する毛細管通路と、
毛細管作用を通じて前記毛細管通路の前記区画内に吸引される液体材料を該毛細管通路の前記入口に供給する液体供給部と、
前記毛細管通路の前記区画の少なくとも一部分に沿って電力サイクルに従って熱を繰返し印加し、該加熱された区画に配置された前記液体材料を揮発させ、そのために該電力サイクル中に毛細管作用を通じた該液体の吸引が中断され、かつ各電力サイクルの終了時に該区画に沿って該配置された液体が該加熱された区画から排出されるように作動可能な電源と、
を含み、
前記電力サイクルは、電力サイクルと電力サイクルの間に毛細管作用を通じた液体の吸引を再開して前記区画を補充するように時間的に十分に離間している、
ことを特徴とするエーロゾル発生器。
【手続補正書】
【提出日】平成23年8月26日(2011.8.26)
【手続補正１】
【補正対象書類名】特許請求の範囲
【補正対象項目名】全文
【補正方法】変更
【補正の内容】
【特許請求の範囲】
【請求項１】
ハンドルと、前記ハンドルから伸張する挿入部であって、挿管中に気管内チューブを保持し、且つ案内するためのチューブガイドを含む挿入部とを含む喉頭鏡であって、前記ハンドルが少なくとも１つの外部チューブ係合構造を含む、喉頭鏡。
【手続補正書】
【提出日】平成23年3月25日(2011.3.25)
【手続補正１】
【補正対象書類名】特許請求の範囲
【補正対象項目名】全文
【補正方法】変更
【補正の内容】
【特許請求の範囲】
【請求項１】
アンドロゲン結合領域を含むポリペプチドであって、前記アンドロゲン結合領域が、哺乳類被験体への該ポリペプチドの投与に際して生物学的に利用可能なアンドロゲンのレベルが減少するように、十分な親和性又は結合活性でアンドロゲンに結合することができることを特徴とするポリペプチド。
【請求項２】
アンドロゲンとアンドロゲンに天然に結合するタンパク質との間の親和性以上のアンドロゲンに対する親和性を有する、請求項１に記載のポリペプチド。
【請求項３】
前記アンドロゲン結合領域が、ヒトアンドロゲン受容体からのアンドロゲン結合ドメイン又は性ホルモン結合グロブリンからのアンドロゲン結合ドメインを含む、請求項１又は２に記載のポリペプチド。
【請求項４】
担体領域を含む、請求項１〜３のいずれか一項に記載のポリペプチド。
【請求項５】
請求項１〜４のいずれか一項に記載のポリペプチド及び薬学的に許容される担体を含む組成物。
【請求項６】
請求項１〜４のいずれか一項に記載のポリペプチドをコードすることができる核酸分子。
【請求項７】
請求項６に記載の核酸分子を含むベクター。
【請求項８】
前立腺癌又はテストステロンフレアの治療又は予防のための医薬品の製造における、(i)請求項１〜４のいずれか一項に記載のポリペプチド、(ii)請求項６に記載の核酸分子、又は(iii)請求項７に記載のベクターの使用。
【手続補正書】
【提出日】平成23年8月10日(2011.8.10)
【手続補正１】
【補正対象書類名】特許請求の範囲
【補正対象項目名】請求項５
【補正方法】変更
【補正の内容】
【請求項５】
前記１種以上の追加の生物学的に活性なタンパク質がｂＦＧＦおよびラミニンから選択される、請求項４に記載の細胞培地。
【手続補正２】
【補正対象書類名】特許請求の範囲
【補正対象項目名】請求項１０
【補正方法】変更
【補正の内容】
【請求項１０】
前記リンカー配列が（Ｇｌｙ４Ｓｅｒ）４である、請求項９に記載の細胞培地。
【手続補正３】
【補正対象書類名】特許請求の範囲
【補正対象項目名】請求項１２
【補正方法】変更
【補正の内容】
【請求項１２】
前記単離されたＩＧＦ含有複合体中にＩＧＦ−ＩＩが存在する場合、さらにＶＮを含む、請求項１１に記載の細胞培地。
【手続補正４】
【補正対象書類名】特許請求の範囲
【補正対象項目名】請求項１３
【補正方法】変更
【補正の内容】
【請求項１３】
前記単離されたＩＧＦ含有複合体中にＩＧＦ−Ｉが存在する場合、さらにＩＧＦＢＰおよびＶＮを含む、請求項１１に記載の細胞培地。
【手続補正５】
【補正対象書類名】特許請求の範囲
【補正対象項目名】請求項１４
【補正方法】変更
【補正の内容】
【請求項１４】
前記ＩＧＦＢＰが、ＩＧＦＢＰ−１、ＩＧＦＢＰ−２、ＩＧＦＢＰ−３、ＩＧＦＢＰ−４、ＩＧＦＢＰ−５およびＩＧＦＢＰ−６からなる群から選択されるＩＧＦＢＰである、請求項１３に記載の細胞培地。
【手続補正６】
【補正対象書類名】特許請求の範囲
【補正対象項目名】請求項１５
【補正方法】変更
【補正の内容】
【請求項１５】
前記ＩＧＦＢＰがＩＧＦＢＰ−３またはＩＧＦＢＰ−５である、請求項１３に記載の細胞培地。
【手続補正７】
【補正対象書類名】特許請求の範囲
【補正対象項目名】請求項２２
【補正方法】変更
【補正の内容】
【請求項２２】
前記ＩＧＦアミノ酸配列がＩＧＦ−Ｉアミノ酸配列またはＩＧＦ−ＩＩアミノ酸配列である、請求項２０または請求項２１に記載の胚性幹細胞培地。
【手続補正８】
【補正対象書類名】特許請求の範囲
【補正対象項目名】請求項３３
【補正方法】変更
【補正の内容】
【請求項３３】
前記１個以上の細胞が角化細胞である、請求項３０または３１に記載の医薬組成物。
【手続補正９】
【補正対象書類名】特許請求の範囲
【補正対象項目名】請求項３４
【補正方法】変更
【補正の内容】
【請求項３４】
請求項２６〜２９のいずれか一項に記載の方法によって培養された１個以上の細胞を送達する方法であって、請求項３０〜３３のいずれか一項に記載の医薬組成物を非ヒト哺乳動物に送達することにより、前記非ヒト哺乳動物における１個以上の細胞の再生および増殖の少なくともいずれか一方を促進するステップを含む方法。